(57)【要約】      （修正有）【課題】十分な自立強度を有する球技用ネット装置を提供する。【解決手段】前面フレーム部２０と、底面フレーム部３０と、固定ポール４０及び４２と、ポール収容部５０〜５６と、接続部６０及び６２とを備えて構成される球技用ネット装置１０。底面フレーム部３０は地面や床面等に設置され、固定ポール４０及び４２は、前面フレーム部２０が底面フレーム部３０に対して所定の角度をなすように、前面フレーム部２０が底面フレーム部３０との間に設置される。【選択図】図２
2012020079.tif 000002
【特許請求の範囲】
【請求項１】
互いに向かい合う第１の辺及び第２の辺を有し、内側にネットが設けられた第１のフレーム部と、  前記第１の辺及び前記第２の辺にそれぞれ対応する、互いに向かい合う第３の辺及び第４の辺を有し、かつ、前記第１の辺及び前記第２の辺と前記第３の辺及び前記第４の辺がそれぞれ重なるように、前記第１のフレーム部に対して折り畳み可能に設けられた第２のフレーム部と、  前記第１の辺が、前記第３の辺に対して所定の角度をなすように、前記第１の辺と前記第３の辺との間に設けられた第１のポールと、  前記第２の辺が、前記第４の辺に対して前記所定の角度をなすように、前記第２の辺と前記第４の辺との間に設けられた第２のポールと、  一端が前記第１の辺に対して固定され、前記第１のポールの一端を収容する第１のポール収容部と、  一端が前記第２の辺に対して固定され、前記第２のポールの一端を収容する第２のポール収容部と、  一端が前記第３の辺に対して固定され、前記第１のポールの他端を収容する第３のポール収容部と、  一端が前記第４の辺に対して固定され、前記第２のポールの他端を収容する第４のポール収容部と、  前記第１のポールと前記第１の辺及び前記第３の辺との間に張力が作用するように、前記第１のポール収容部の他端と前記第３のポール収容部の他端とを接続する第１の接続部と、  前記第２の接続部は、前記第２のポールと前記第２の辺及び前記第４の辺との間に張力が作用するように、前記第２のポール収容部の他端と前記第４のポール収容部の他端とを接続する第２の接続部とを備える、球技用ネット装置。
【請求項２】
前記第１のフレーム部は、前記第１の辺と前記第２の辺との間において、前記第１の辺及び前記第２の辺から連続して設けられた第５の辺を更に有し、  前記第２のフレーム部は、前記第３の辺と前記第４の辺との間において、前記第１の辺及び前記第２の辺から連続して設けられた第６の辺を更に有し、  前記球技用ネット装置は、前記第５の辺及び前記第６の辺を少なくとも収容する、鞘状のフレーム部収容部を更に備え、  前記第５の辺及び前記第６の辺は、前記フレーム部収容部において並置されており、  前記第２のフレーム部は、前記第６の辺を支点として回転することにより、前記１のフレーム部に対して折り畳み可能である、請求項１記載の球技用ネット装置。
【請求項３】
前記フレーム部収容部は、前記第５の辺を収容する第１の部分及び前記第６の辺を収容する第２の部分を有し、前記第１の部分と前記第２の部分が接合されてなる、請求項２記載の球技用ネット装置。
【請求項４】
前記第１の部分は、前記第１の辺及び前記第３の辺を更に収容し、前記第２の部分は、前記第２の辺及び前記第４の辺を更に収容する、請求項３記載の球技用ネット装置。
【請求項５】
前記第１のフレーム部及び前記第２のフレーム部は、それぞれ所定の形状を有し、外力を加えて折り畳み可能であり、前記外力を解放すると、前記所定の形状に復元される、請求項１から４のいずれか１項記載の球技用ネット装置。
【請求項６】
前記所定の形状は、矩形形状である、請求項４記載の球技用ネット装置。
【請求項７】
前記第１のポール収容部及び前記第３のポール収容部は、それぞれ前記第１のポールの前記一端及び他端において、前記第１のポールの長さの約１／３を収容する、請求項１から６のいずれか１項記載の球技用ネット装置。
【請求項８】
前記第１の接続部は、  前記第１のポール収容部の前記他端に設けられた第１のリング及び第２のリングと、  前記第３のポール収容部の前記他端に設けられた第１のベルトとを有し、  前記第１のベルトが、前記第１のリング及び前記第２のリングを通って、前記第２のリングで折り返され、さらに、前記第１のリングを通ることにより、前記第１のポール収容部の他端と前記第３のポール収容部の他端とが接続されて、前記第１のポールと前記第１の辺及び前記第３の辺との間に張力が作用するように構成されており、  前記第２の接続部は、  前記第２のポール収容部の前記他端に設けられた第３のリング及び第４のリングと、  前記第４のポール収容部の前記他端に設けられた第２のベルトとを有し、  前記第２のベルトが、前記第３のリング及び前記第４のリングを通って、前記第４のリングで折り返され、さらに、前記第３のリングを通ることにより、前記第２のポール収容部の他端と前記第４のポール収容部の他端とが接続されて、前記第２のポールと前記第２の辺及び前記第４の辺との間に張力が作用するように構成されている、請求項１から７のいずれか１項記載の球技用ネット装置。 
【発明の詳細な説明】
【技術分野】
【０００１】
本発明は、球技用ネット装置に関する。特に本発明は、十分な強度を持って自立できる球技用ネット装置に関する。
【背景技術】
【０００２】
従来の球技用ネット装置として、例えば、登録実用新案３０５７４６５号（特許文献１）に記載されたゴルフネットがある。上記従来の球技用ネット装置は、ゴルフネットフレームに、カーボングラファイトを使用し、カーボングラファイトの特性を生かし、ワンタッチで自動的に開閉する機能としている。
【先行技術文献】
【特許文献】
【０００３】
【特許文献１】登録実用新案第３０５７４６５号
【発明の概要】
【発明が解決しようとする課題】
【０００４】
しかしながら、上記従来のゴルフネットでは、フレームを安定した形状にすることができず、また、フレームを安定した状態で保つことが困難であるため、設置の安定性が著しく欠けるという問題が生じていた。
【０００５】
よって、本発明は、上記の課題を解決することのできる球技用ネット装置を提供することを目的とする。この目的は特許請求の範囲における独立項に記載の特徴の組み合わせにより達成される。また従属項は本発明の更なる有利な具体例を規定する。
【課題を解決するための手段】
【０００６】
上記課題を解決するために、本発明の第１の形態によれば、互いに向かい合う第１の辺及び第２の辺を有し、内側にネットが設けられた第１のフレーム部と、前記第１の辺及び前記第２の辺にそれぞれ対応する、互いに向かい合う第３の辺及び第４の辺を有し、かつ、前記第１の辺及び前記第２の辺と前記第３の辺及び前記第４の辺がそれぞれ重なるように、前記第１のフレーム部に対して折り畳み可能に設けられた第２のフレーム部と、前記第１の辺が、前記第３の辺に対して所定の角度をなすように、前記第１の辺と前記第３の辺との間に設けられた第１のポールと、前記第２の辺が、前記第４の辺に対して前記所定の角度をなすように、前記第２の辺と前記第４の辺との間に設けられた第２のポールと、一端が前記第１の辺に対して固定され、前記第１のポールの一端を収容する第１のポール収容部と、一端が前記第２の辺に対して固定され、前記第２のポールの一端を収容する第２のポール収容部と、一端が前記第３の辺に対して固定され、前記第１のポールの他端を収容する第３のポール収容部と、一端が前記第４の辺に対して固定され、前記第２のポールの他端を収容する第４のポール収容部と、前記第１のポールと前記第１の辺及び前記第３の辺との間に張力が作用するように、前記第１のポール収容部の他端と前記第３のポール収容部の他端とを接続する第１の接続部と、前記第２の接続部は、前記第２のポールと前記第２の辺及び前記第４の辺との間に張力が作用するように、前記第２のポール収容部の他端と前記第４のポール収容部の他端とを接続する第２の接続部とを備える、球技用ネット装置を提供する。  
【０００７】
また、本発明の第２の形態によれば、前面フレーム部は折り曲げ自在な性質を有するポール状の材質により枠体を構成しており、シート素材を細長袋状にしてその中にポール状の素材を挿入より枠体形状を安定キープし、その同様の仕様で底部フレーム部があり、前面フレーム部の接地辺と底部フレーム部の相対する１辺とをシート素材細長袋部を接合させることにより一体化された主要フレーム部と、前面フレーム部の両サイド上部のシート素材細長袋部と、底部フレーム部の両サイド後方のシート素材細長袋部に、それぞれシート素材を細長袋状にした主要フレーム部を固定する目的のシート素材フレーム部固定用細長袋を取り付け、そのシート素材フレーム部固定用細長袋の上下それぞれの袋の長さは、前面フレーム部が底部フレーム部に対して約８０度の角度で立設する状態で、前面フレーム部のシート素材細長袋部と上部シート素材フレーム部固定用細長袋の接合部と底部フレーム部のシート素材細長袋部と下部シート素材フレーム部固定用細長袋の接合部を直線で結んだ長さのそれぞれ1/3程度の長さとし、上部シート素材フレーム部固定用細長袋のもう一端の上面には２個のDリング、または同様の機能を持ったバックル等のパーツを接合固定し、別部材として布製、または合成繊維製の細長連結ベルトの一端を底部フレーム部の下部シート素材フレーム部固定用細長袋の接合位置と同じ位置に接合し、細長連結ベルトを下部シート素材フレーム部固定用細長袋の上面に沿わせて袋部上端まで接合固定し、また、別部材として金属製、または合成樹脂製の固定ポールは、その長さを、前面フレーム部が底部フレーム部に対して約８０度の角度で立設する状態で、前面フレーム部のシート素材細長袋部と上部シート素材フレーム部固定用細長袋の接合部と底部フレーム部のシート素材細長袋部と下部シート素材フレーム部固定用細長袋の接合部を直線で結んだ長さと同等の長さとし、左右それぞれの固定ポールの上端を上部シート素材フレーム部固定用細長袋下部より差し込み、それぞれの固定ポールの下端を下部シート素材フレーム部固定用細長袋上部より差し込み、それぞれ前面フレーム部と底部フレーム部との接合部まで挿入した後、細長連結ベルトのもう一端を上部シート素材フレーム部固定用細長袋下部端の上下Dリング、（または同様の機能を持ったバックル等のパーツはそれぞれの構造により）の２つに下から同時に通し、折り返して今度は上から下のリングのみに通し、細長連結ベルトに沿って下へ引くことにより、細長連結ベルトと上部シート素材フレーム部固定用細長袋と下部シート素材フレーム部固定用細長袋に強い張力が作用して、固定ポールの両端が前面フレーム部と底部フレーム部をしっかりと固定されることによりネット装置自体が一体化し、ネット装置全体を打ち込まれた打球の衝撃に耐えられるよう、しっかりと自立させることが可能となる球技用ネット装置を提供する。
【図面の簡単な説明】
【０００８】
【図１】本発明の一実施形態に係る球技用ネット装置１０の構成を示す正面斜視図である。
【図２】本実施形態に係る球技用ネット装置１０の構成を示す背面斜視図である。
【図３】前面フレーム部２０及び底面フレーム部３０の一部拡大図である。
【図４】接続部６０及び６２の拡大図である。
【発明を実施するための形態】
【０００９】
以下、図面を参照しつつ、発明の実施の形態を通じて本発明を説明するが、以下の実施形態は特許請求の範囲に係る発明を限定するものではなく、また、実施形態の中で説明されている特徴の組み合わせのすべてが発明の解決手段に必須であるとは限らない。
【００１０】
図１は、本発明の一実施形態に係る球技用ネット装置１０の構成を示す正面斜視図である。また、図２は、本実施形態に係る球技用ネット装置１０の構成を示す背面斜視図である。  
【００１１】
球技用ネット装置１０は、第１のフレーム部の一例である前面フレーム部２０と、第２のフレーム部の一例である底面フレーム部３０と、第１及び第２のポールの一例である固定ポール４０及び４２と、ポール収容部５０〜５６と、接続部６０及び６２とを備えて構成される。底面フレーム部３０は地面や床面等に設置され、固定ポール４０及び４２は、前面フレーム部２０が底面フレーム部３０に対して所定の角度をなすように、前面フレーム部２０が底面フレーム部３０との間に設置される。これにより、前面フレーム部２０は、地面や床面等から上方に向かって立つように設置される。前面フレーム部２０が底面フレーム部３０に対して約８０度の角度をなすように設置されるのが好ましい。  
【００１２】
前面フレーム部２０は、第１の辺の一例である辺２２、第２の辺の一例である辺２４、及び第５の辺の一例である辺２６を含む略矩形形状を有しており、その内側にネット２８が設けられている。また、前面フレーム部２０は、図３に示すとおり、フレーム部収容部の一例である、略矩形形状に形成された鞘状の袋部７０に収容されており、これにより、略矩形形状に保持されている。前面フレーム部２０の内周には、袋部７０から連続してシート部７２が設けられている。シート部７２は、辺２６の内側部分において、辺２２及び２６の内側部分よりも、広い幅を有する。  
【００１３】
底面フレーム部３０は、第３の辺の一例である辺３２、第４の辺の一例である辺３４、及び第６の辺の一例である辺３６を含む略矩形形状を有している。前面フレーム部２０の辺２２及び２４は、底面フレーム部３０の辺３２及び３４に対応するように設けられている。例えば、辺２２及び２４は、固定ポール４２及び４４を取り除いて前面フレーム部２０と底面フレーム部３０とを折り畳んだときに、辺３２及び３４に重なるように設けられる。すなわち、本実施形態において、辺２２と辺２４との間隔は、辺３２と辺３４との間隔と略等しい。  
【００１４】
底面フレーム部３０は、図３に示すとおり、前面フレーム部２０と同様に、フレーム部収容部の一例である、略矩形形状に形成された鞘状の袋部８０に収容されており、これにより、略矩形形状に保持されている。また、底面フレーム部３０の四隅の内周には、袋部８０から連続してシート部８２が設けられている。  
【００１５】
前面フレーム部２０及び底面フレーム部３０は、折り曲げ自在な性質を有するポール状の材質からなる。これにより、略矩形形状を有する袋部７０及び８０に、前面フレーム部２０及び底面フレーム部３０を収容することにより、前面フレーム部２０及び底面フレーム部３０に外力が加わっていないときには、前面フレーム部２０及び底面フレーム部３０が略矩形形状に保持される一方で、前面フレーム部２０及び底面フレーム部３０に外力を加えることにより、前面フレーム部２０及び底面フレーム部３０をさらに所望の形状に変形させることができる。例えば、前面フレーム部２０及び底面フレーム部３０は、外力を加えることにより、コンパクトに折り畳むことができる一方、当該外力を解放すると、上記略矩形形状に復元される。これにより、球技用ネット装置１０を使用しない場合には、当該装置をコンパクトに収納できる一方、当該装置を使用する場合には、当該装置を素早く設置することができる。  
【００１６】
前面フレーム部２０の辺２６と底面フレーム部３０の辺３６は、並置されており、相対的な位置が固定されている。本実施形態において、前面フレーム部２０の辺２６を収容する袋部７０と底面フレーム部３０の辺３６を収容する袋部８０とが、辺２６及び３６を収容する部分に沿って接合されており、辺２６及び３６が、互いに並置され、相対的な位置が固定されている。これにより、前面フレーム部２０は、辺２６又は辺３６を支点として、回転することができ、底面フレーム部３０に対して折り畳むことができる。すなわち、前面フレーム部２０を、底面フレーム部３０と重ね合わせることができる。  
【００１７】
ポール収容部５０及び５２は、一端がそれぞれ前面フレーム部２０の辺２２及び２４に対して固定されている。具体的には、ポール収容部５０及び５２は、一端がそれぞれ、袋部７０における辺２２及び２４を収容する部分に接合されている。また、ポール収容部５４及び５６は、一端がそれぞれ底面フレーム部３０に対して固定されている。具体的には、ポール収容部５４及び５６は、一端がそれぞれ、袋部８０における辺３２及び３４を収容する部分に接合されている。  
【００１８】
また、ポール収容部５０及び５２並びにポール収容部５４及び５６は、他端がそれぞれ向き合うように、一端が袋部７０及び８０に接合される。すなわち、ポール収容部５０及び５４は、それらの長手方向が同一直線上に存在するように、一端がそれぞれ袋部７０及び８０に接合される。また、ポール収容部５２及び５６は、それらの長手方向が同一直線上に存在するように、一端がそれぞれ袋部７０及び８０に接合される。各ポール収容部５０〜５６は、袋状や鞘状等、ポールの一端及び他端を覆うような形状を有することが好ましいが、ポールを収容できる形状であれば、例えば、網状や紐状等であってもよい。  
【００１９】
固定ポール４０及び４２は、それぞれ、一端がポール収容部５０及び５２に収容され、他端がポール収容部５４及び５６に収容されている。各ポール収容部５０〜５６は、固定ポール４０及び４２の一端及び他端を、全長の１／３程度の長さに亘って収容する。  
【００２０】
図４は、接続部６０及び６２の拡大図である。接続部６０及び６２は、ポール収容部５０及び５２の他端に設けられたＤリング６４及び６６と、ポール収容部５４及び５６の他端に設けられたベルト６８とを有する。ベルト６８は、一端がポール収容部５４及び５６の他端に接合されており、他端は自由端となっている。図４（ａ）〜（ｃ）に示すとおり、ベルト６８の自由端を、Ｄリング６４及び６６の双方に通し（ａ）、Ｄリング６６で折り返し（ｂ）、さらに、Ｄリング６４に通すことにより（ｃ）、ポール収容部５０及び５２の他端と、ポール収容部５４及び５６の他端とが接続される。  
【００２１】
また、ベルト６８の自由端を、ポール収容部５４及び５６の他端の方向に、十分に引っ張ることにより、ポール収容部５０及び５２とポール収容部５４及び５６との間に、互いに向き合う方向に張力が働き、したがって、固定ポール４０と前面フレーム部２０の辺２２及び底面フレーム部３０の辺３２との間、並びに、固定ポール４２と前面フレーム部２０の辺２４及び底面フレーム部３０の辺３４との間に強い張力が働く。これにより、固定ポール４０及び４２が、前面フレーム部２０が底面フレーム部３０に対して所定の角度をなした状態で、前面フレーム部２０と底面フレーム部３０とを十分に固定することができる。したがって、十分な強度を持って自立することができ、ネットに打ち込まれた打球の衝撃に十分耐えられる球技用ネット装置を提供することができる。なお、本実施形態では、接続部として、Ｄリング及びベルトからなる構成を例示しているが、接続部の構成はこれに限られず、固定ポール４０及び４２と前面フレーム部２０及び底面フレーム部３０との間に張力を作用させることができる構成であればよい。
【００２２】
上記発明の実施の形態を通じて説明された実施例や応用例は、用途に応じて適宜に組み合わせて、又は変更若しくは改良を加えて用いることができ、本発明は上述した実施形態の記載に限定されるものではない。そのような組み合わせ又は変更若しくは改良を加えた形態も本発明の技術的範囲に含まれ得ることが、特許請求の範囲の記載から明らかである。
【符号の説明】
【００２３】
１０・・・球技用ネット装置２０・・・前面フレーム部２２、２４、２６、３２、３４、３６・・・辺２８・・・ネット３０・・・底面フレーム部４０、４２・・・固定ポール５０、５２、５４、５６・・・ポール収容部６０、６２・・・接続部６４、６６・・・Ｄリング６８・・・ベルト７０、８０・・・袋部７２、８２・・・シート部   
【図１】
2012020079.tif 000003
【図２】
2012020079.tif 000004
【図３】
2012020079.tif 000005
【図４】
2012020079.tif 000006